(57)【要約】      （修正有）【課題】生け花等に使用される花器に関し、特に花卉を支持・固定するための剣山部を予め備えている花器を提供する。【解決手段】剣山付花器１０は、花卉を生ける際に使用する花器であって、花器本体１２と、花器本体１２の内底部１４に立設される１以上の壁体１６で形成され、壁体１６の相対する側面１７間に、前記花卉の下端部を挿して前記花卉を支持可能な隙間１８を設けた剣山部２０とを含んで成り、花器本体１２と剣山部２０が一体を成している。【選択図】図１
0003122724.tif 000002
【実用新案登録請求の範囲】
【請求項１】
花卉を生ける際に使用する花器であって、
花器本体と、
前記花器本体の内底部に立設される１以上の壁体で形成され、該壁体の相対する側面間に、前記花卉の下端部を挿して前記花卉を支持可能な隙間を設けた剣山部と
を含んで成り、
前記花器本体と前記剣山部が一体を成していることを特徴とする剣山付花器。
【請求項２】
前記壁体に、切欠き及び／又は貫通孔が形成されたことを特徴とする請求項１に記載の剣山付花器。
【請求項３】
前記花器本体及び前記剣山部が陶磁器製である請求項１又は請求項２に記載の剣山付花器。
【考案の詳細な説明】
【技術分野】
【０００１】
本考案は、生け花に好適に使用し得る花器に関する。
【背景技術】
【０００２】
従来、花卉を生ける際には、金属製の針が上向きに多数植設された剣山を水盤等の花器の内底部に載置し、この金属製の剣山に花卉の茎の下端部を挿し込むことによって、花卉を支持・固定する。
【０００３】
また、花卉を支持・固定するための剣山として、上記金属製の剣山の他、花卉の茎を挿通させる大小の茎刺し孔が複数貫通して形成された陶器製剣山や、溝状の穴を形成した陶器製の剣山等も開示されている（例えば、特許文献１及び特許文献２参照）。これら陶器製の剣山も、金属製の剣山と同様、花器の内底部に載置して使用される。
【特許文献１】実開平６−５４２８号公報
【特許文献２】特開２００３−１９０６１号公報
【考案の開示】
【考案が解決しようとする課題】
【０００４】
花卉を生ける際には、上記の金属製或いは陶器製等の剣山が花卉を支持・固定する上で必要となるが、これら従来の剣山は、何れも花器の内底部に単に載置されるのみである。つまり、従来の剣山は花器の内底部に固定されていないため、この固定されていない剣山に花卉を挿した際に、花卉が剣山と共に倒れてしまうという問題があった。
【０００５】
特に、水盤のような花器を使用した場合には、花卉の茎部を花器の開口縁部で支持することができないため、花卉を剣山に順次差し込んでいく際には、花卉全体の構図よりも重心位置に注意を払う必要があり、斬新な構図を形成し難いという問題があった。
【０００６】
そこで本考案者は、上記の問題点に鑑み、花卉を支持・固定するための剣山部を備えた花器を提供するべく鋭意検討を重ねた結果、本考案に至ったのである。
【課題を解決するための手段】
【０００７】
即ち、本考案の剣山付花器の要旨とするところは、花卉を生ける際に使用する花器であって、花器本体と、前記花器本体の内底部に立設される１以上の壁体で形成され、該壁体の相対する側面間に、前記花卉の下端部を挿して前記花卉を支持可能な隙間を設けた剣山部とを含んで成り、前記花器本体と前記剣山部が一体を成していることを特徴とするところにある。
【０００８】
また、かかる剣山付花器において、前記壁体に、切欠き及び／又は貫通孔が形成されたことを特徴とするところにある。
【０００９】
更に、かかる剣山付花器において、前記花器本体及び前記剣山部が陶磁器製であることにある。
【考案の効果】
【００１０】
本考案の剣山付花器によると、花器本体と花卉を支持・固定するための剣山部とが一体を成しているため、花卉を生けた際、花卉が倒れる恐れがない。
【００１１】
また、本考案に係る剣山部は、花器本体の内底部に立設される１以上の壁体によって形成されており、花卉は、当該壁体の相対する側面間に設けられた隙間に挿し込むことによって容易に支持・固定することができる。つまり、本考案の剣山付花器によると、従来の金属製の剣山に比べて取扱性に優れた剣山部を備えた花器を提供することができる。
【００１２】
更に、本考案の剣山付花器に係る花器本体と剣山部とは一体を成しているが、特にこれらを陶磁器製とすることによって、和の趣を備え、且つ花器本体と剣山部との一体感がより強調された、質感のよい剣山付花器を提供することができる。
【考案を実施するための最良の形態】
【００１３】
以下、本考案の剣山付花器の実施形態について、図面に基づき説明するが、本考案は以下に示した実施形態に限定されるものではない。
【００１４】
図１に、本考案の実施形態に係る剣山付花器１０を示す。同図に示した剣山付花器１０は、花器本体１２と、この花器本体１２の内底部１４に立設された一の壁体１６によって形成された剣山部２０とを含んで構成されており、花器本体１２と剣山部２０とは一体を成している。
【００１５】
本実施形態に係る剣山部２０を形成する一の壁体１６は、平面視断面形状が渦巻状を成しており、この渦巻状を成す壁体１６の相対する側面１７間には、花卉の下端部を挿し込んだ際に、当該花卉を支持可能な隙間１８が設けられている。つまり、花卉を行ける際には、この隙間１８に花卉の下端部を差し込むことによって、花卉が支持・固定される。
【００１６】
このような構成から成る本実施形態に係る剣山付花器１０によると、花器本体１２と、花卉を支持・固定するための剣山部２０とが一体を成しており、花卉の重みを花器本体１２によって支持することができるため、花卉を行ける際、花卉全体の重心位置に特に注意を払う必要がなく、花卉が自身の重みで倒れる恐れがない。
【００１７】
また、本実施形態に係る剣山部２０は、一の壁体１６を、当該壁体１６の相対する側面１７間に隙間１８を設けて形成されているため、花卉を生ける際には、この隙間１８に花卉の下端部を挿し込むだけで、容易に花卉を支持・固定することができると共に、従来の金属製の剣山に比べて取扱性にも優れている。
【００１８】
以上、本考案の実施形態に係る剣山付花器１０について説明したが、本考案の剣山付花器に係る剣山部の形態は上記の実施形態に限定されず、他の形態でも実施し得る。
【００１９】
例えば、図２に示した剣山付花器１０ａに係る剣山部２０ａは、直径の異なる複数の筒状の壁体１６ａを、これら複数の壁体１６ａの平面視断面形状が同心円を成すように花器本体１２の内底部１４に立設することによって形成されている。そして、これらの壁体１６ａの相対する側面１７間には、花卉の下端部を挿し込んだ際に、当該花卉を支持可能な隙間１８が設けられており、花卉を行ける際には、この隙間１８に花卉の下端部を差し込むことによって、花卉を支持・固定することができる。
【００２０】
ここで、上記の実施形態に係る剣山付花器１０、１０ａに係る剣山部２０、２０ａにおいて、これらの剣山部２０、２０ａに設けられた隙間１８は、壁体１６、１６ａによって花器本体１２の内部１５と隔離されている。従って、この剣山付花器１０、１０ａを使用して生花を生ける際、花器本体１２の内部１５に水を入れても隙間１８内には水が入って行かず、また、隙間１８内に直接入れた水がなくなった場合、内部１５に水が残っていても隙間１８には水が供給されないため、隙間１８に挿し込まれた生花が枯れてしまう恐れがある。
【００２１】
そこで、例えば図３（ａ）に示した剣山付花器１０ｂに係る剣山部２０ｂのように、この剣山部２０ｂを形成する筒状の壁体１６ａ及び略筒状の壁体１６ｂに切欠き３０を形成したり、或いは同図（ｂ）に示したような貫通孔３２を形成したりすることによって、花器本体１２の内部１５と隙間１８が導通され、内部１５に入れた水を、これら切欠き３０や貫通孔３２を介して隙間１８に挿し込まれた生花に供給することができる。
【００２２】
また、本考案の剣山付花器に係る剣山部の他の実施形態として、図４に示した剣山付花器１０ｃの花器本体１２の内底部１４には、複数の筒状の壁体１６ａが、これら壁体１６ａ同士の間に所定の間隔を空けつつ立設されることによって、本実施形態に係る剣山部２０ｃが形成されている。そして、壁体１６ａの相対する側面１７間、具体的には筒状の壁体１６ａ内及び複数の壁体１６ａ同士の間に隙間１８が設けられており、花卉を生ける際には、この隙間１８に花卉の下端部を差し込むことによって、花卉を支持・固定することが容易にできる。また、本実施形態に係る剣山部２０ｃにおいて、複数の壁体１６ａ同士の間に設けられた隙間１８は花器本体１２の内部１５と導通しているため、花器本体１２の内部１５に水を入れることによって、この隙間１８に挿し込まれる花卉には、水を供給することができる。なお、筒状の壁体１６ａには、図３（ａ）、（ｂ）に示した切欠き３０、或いは貫通孔３２を形成することによって、壁体１６ａ内の隙間１８と花器本体１２の内部１５を導通することができ、この壁体１６ａ内の隙間１８に挿し込まれた花卉にも、花器本体１２の内部１５に入れられた水を供給することができる。
【００２３】
更に、本考案に係る剣山部の他の実施形態として、図５（ａ）に示した剣山付花器１０ｄに係る剣山部２０ｄのように、平面視断面形状がつづら折り状を成す一の壁体１６ｃによって形成され、この壁体１６ｃの相対する側面１７間に隙間１８が設けられた態様であってもよい。また更に、同図（ｂ）に示した剣山付花器１０ｅに係る剣山部２０ｅのように、複数の平板状の壁体１６ｄを所定の間隔を空けて立設することによって形成し、これらの壁体１６ｄの相対する側面１７間に隙間１８を設けた態様であってもよい。これらの剣山部２０ｄ、２０ｅに設けられた隙間１８は何れも花器本体１２の内部１５と導通しているため、隙間１８に挿し込まれる花卉に水を供給することも容易にできる。
【００２４】
以上、本考案の剣山付花器の種々の実施形態について詳述したが、上述した各実施形態に係る花器本体及び剣山部の材質については何ら限定されず、例えばセラミックス、ガラス、金属等が挙げられるが、特に花器本体及び剣山部を何れも陶磁器製とすることによって、和の趣を備え、且つ花器本体及び剣山部の一体感がより強調された剣山付花器を提供することができる。
【００２５】
また、本考案に係る剣山部は１以上の壁体で形成されているため、当該壁体の側面に模様を施すことができる。従って、当該壁体の側面及び本考案に係る花器本体に、釉薬、彫刻、レリーフ等によって同一又は同種の模様や彩色を施すことによって、花器本体及び剣山部の一体感が更に強調され、デザイン性・装飾性に優れた本考案の剣山付花器を提供することができる。
【００２６】
更に、本考案に係る剣山部を形成する１以上の壁体は、必ずしも花器本体の内底部に鉛直方向に立設される態様に限定されず、内底部から斜め方向に立設されてもよい。また、図１に示した壁体１６や図２に示した筒状の壁体１６ａ等は、何れも湾曲軸が花器本体１２の内底部１４に対して垂直であるが、壁体を湾曲或いは屈曲させる態様はこれらの実施形態に限定されず、花器本体の内底部に対して水平、或いは斜めとなる湾曲軸及び／又は屈曲軸を備えた壁体であってもよい。また更に、壁体の厚みも同一である必要はなく、壁体の下端から上端にかけて徐々に厚みを減少、或いは増加させた形態の壁体であってもよい。これら種々の形態の壁体により本考案に係る剣山部を形成することによって、これら壁体の相対する側面間に設けられる隙間の幅に変化を持たせることが容易にでき、特に隙間に係る下方の幅を上方の幅よりも幅狭にすることによって、大小様々な花卉の下端部を当該隙間に挿し込んで、支持・固定することができる。
【００２７】
また、本考案に係る剣山部を、上述した種々の形態の壁体により形成することによって、剣山部自体の外観形状も種々の形態に造形することができる。つまり、例えば、１以上の壁体を湾曲・屈曲させる、或いは上述した種々の壁体を組み合わせることによって、花を模した形状の剣山部や、花器本体と同形状の剣山部を造形することができ、従来にはないデザイン性に優れた剣山部、花器本体に装飾効果を与える剣山部を備えた本考案の剣山付花器を提供することができる。
【００２８】
以上に例示した本考案の実施形態に係る剣山付花器は、本考案の技術的思想を実質的に限定するものと解してはならない。例えば、本考案に係る花器本体の形状は各図に示した形状に限定されず、他形状の水盤や広口等、種々の形状の花器本体を適用し得る。本考案は、その要旨を逸脱しない範囲で、当業者の創意と工夫により、適宜に改良、変更又は追加をしながら実施されるものである。
【図面の簡単な説明】
【００２９】
【図１】本考案の剣山付花器の一実施形態を示した斜視図である。
【図２】本考案の剣山付花器の他の実施形態を示した斜視図である。
【図３】（ａ）は本考案に係る壁体に設けられた切欠きの実施形態を示した斜視図、（ｂ）は本考案に係る壁体に設けられた貫通孔の実施形態を示した斜視図である。
【図４】本考案の剣山付花器の更に他の実施形態を示した斜視図である。
【図５】（ａ）及び（ｂ）は本考案の剣山付花器の更に別の実施形態を示した斜視図である。
【符号の説明】
【００３０】
１０、１０ａ〜１０ｅ：剣山付花器
１２：花器本体
１４：内底部
１５：内部
１６、１６ａ〜１６ｄ：壁体
１７：側面
１８：隙間
２０、２０ａ〜２０ｅ：剣山部
【図１】
0003122724.tif 000003
【図２】
0003122724.tif 000004
【図３】
0003122724.tif 000005
【図４】
0003122724.tif 000006
【図５】
0003122724.tif 000007